(57)【特許請求の範囲】
【請求項１】
ケース（１）と、ケース上端に配置されて、まつ毛を上下に挟み保持するカーリングヘッド（２）とを備えており、
カーリングヘッド（２）は、ケース（１）の上端に設けられる整形枠（３）と、整形枠（３）に対して操作機構で接離操作される押圧具（４）とを含み、
操作機構は、ケース（１）で出没可能に支持されて、前後方向（使用時において顔面に向かう方向を前方向とし、鏡面に向かう方向を後方向とする。）に往復変位する操作具（１５）と、操作具（１５）の動作を押圧具（４）に伝える動作変換機構とからなり、
動作変換機構が、軸（２０）で前後揺動自在に軸支されて、操作具（１５）の前後方向の往復動作を上下動作に変換する中継ピース（１６）と、中継ピース（１６）の動作を押圧具（４）に伝えるリンク（１７）と、リターンばね（１８）とで構成されており
中継ピース（１６）は、操作具（１５）の動作を受け継ぐ第１連接部（１６ａ）と、リンク（１７）に連接される第２連接部（１６ｂ）とを備えており、
押圧具（４）のスライド方向と平行で軸（２０）のほぼ中心を通る第１基準線（Ｌ１）をｙ軸（上方向をｙ＞０方向）とし、第１基準線（Ｌ１）と直交して軸（２０）のほぼ中心を通る第２基準線（Ｌ２）をｘ軸（前方向をｘ＞０方向）とする座標平面を規定したとき、
待機状態における第１連接部（１６ａ）が、両基準線（Ｌ１・Ｌ２）で規定される座標平面の第３象限に位置し、第２連接部（１６ｂ）が、該座標平面の第２象限に位置していることを特徴とするまつ毛カーラー。
【請求項２】
整形枠（３）が、断面くさび形のくせ付枠（２５）と、くせ付枠（２５）を固定支持する腕部（２４）とを備えており、
くせ付枠（２５）の後面において、くせ付枠（２５）を腕部（２４）で支持して、くせ付枠（２５）の下縁（２５ａ）の左右両端側面が開放してある請求項１記載のまつ毛カーラー。
【請求項３】
くせ付枠（２５）の下縁（２５ａ）が、腕部（２４）の近傍において、腕部（２４）のくせ付枠（２５）との交差部分より下方に突出してある請求項２記載のまつ毛カーラー。
【請求項４】
押圧具（４）の上端に、整形枠（３）のくせ付枠（２５）と接離するゴム製の押圧体（２６）が設けられており、
押圧体（２６）の左右幅（Ｂ）が、くせ付枠（２５）の下縁（２５ａ）の左右幅（Ｗ）とほぼ同じ長さに設定してある請求項２または３記載のまつ毛カーラー。
【請求項５】
ケース（１）から上方に延びる腕部（２４）の延出基端が、くせ付枠（２５）と押圧具（４）との挟持平面（Ｓ）より後方側へ偏寄する位置に設けられて、腕部（２４）の前縁が凹ませてある請求項２または４記載のまつ毛カーラー。
【請求項６】
押圧具（４）とリンク（１７）とが、両者（４・１７）の間に設けたヒンジ部（２２）を介して一体に成形してある請求項１記載のまつ毛カーラー。  
【発明の詳細な説明】
【０００１】
【発明の属する技術分野】
この発明は、まつ毛を押圧具と整形枠とで上下に挟んでくせ付けを行う、手動式のまつ毛カーラーに関する。
【０００２】
【従来の技術】
この種のまつ毛カーラーは特許第２９１６３６７号公報に公知である。そこでは、ケースの上端に設けた整形枠と、スライドしながら整形枠に接離する押圧具とで、まつ毛を上下に挟んでくせ付けする。整形枠はケースの上部に立設される左右一対の腕部と、腕部の上端どうしを繋ぐ断面くさび形のくせ付枠とで門形に形成してある。押圧具には、まつ毛をくせ付枠に押し付けるゴム製の押圧体が設けてある。くせ付枠と押圧具とは、それぞれまぶたの膨らみに沿って外突状に湾曲させてある。この種のまつ毛カーラーは、実開平２−６３７０１号公報にみることもできる。
【０００３】
【発明が解決しようとする課題】
上記のように、整形枠を門形に形成したまつ毛カーラーにおいては、くせ付枠の左右両端が腕部によって覆われるので、くせ付枠の両端付近でくせ付け操作を行えない。例えば、側端に位置するまつ毛の一部や、数本のまつ毛をくせ付けしたいような場合に、腕部が邪魔になってくせ付けできない。そのため、全てのまつ毛を一度のくせ付け操作で一気にカールする必要があり、まつ毛の整形結果にばらつきを生じやすい。
【０００４】
特許第２９１６３６７号公報のまつ毛カーラーにおいては、握りレバーの前後揺動動作を、第１レバーと第２レバーを介して上下方向の揺動動作に変換してスライドリンクに伝え、スライドリンクの上端に設けた押圧具を整形枠に対して接近スライドさせている。握りレバーと第１レバー、および第１レバーと第２レバーのてこ比は、いずれも後者レバーの揺動量が増えるように約２倍前後に設定してある。従って握りレバーの揺動量を左程大きくする必要もなく、押圧具のスライドストロークを大きくできる。反面、握りレバーの操作に要する力は大きくなる。
【０００５】
上記のように、握りレバーの動作量を第１・第２の各レバーで順次増幅する操作機構では、握りレバーの操作量の僅かな違いによって、押圧具のスライド量が大きく変化するのを避けられない。また、第２レバーは斜め下向きの待機状態から、上方揺動してスライドリンクを押し上げ操作する。そのため、握りレバーを一定量ずつ変位操作したとしても、第２レバーの縦方向の移動成分は揺動ストロークの終端に近づくほど大きくなる。つまり、押圧具のスライド量およびスライド速度は、スライドストロークの上端に近づくほど大きくなる。このように、押圧具のスライド量が次第に増加する操作機構においては、まつ毛を挟む直前に、押圧具が操作感覚とは無関係に急激に動くので、押圧具を使用者の意図どおりに操作するのが難しく、例えば、整形枠および押圧具によるまつ毛の挟み位置が狂ってしまうことがある。
【０００６】
この発明の目的は、くせ付枠の両側端においてもくせ付け操作を行うことができ、従って従来のくせ付枠に比べて有効くせ付幅を拡大できるうえ、側端に位置する一部のまつ毛、あるいは任意位置のまつ毛の形を修正するのに好適なまつ毛カーラーを提供することにある。この発明の他の目的は、押圧具の動きを操作部の動きにできるだけ近づけ、さらにくせ付枠に近づくほど移動速度を小さくできるようにし、これにより押圧具を使用者の操作感覚に近づけて、くせ付け操作を意のままに行えるまつ毛カーラーを提供することにある。
【０００７】
【課題を解決するための手段】
この発明のまつ毛カーラーは、ケース１と、ケース上端に配置されて、まつ毛を上下に挟み保持するカーリングヘッド２とを備えている。カーリングヘッド２は、ケース１の上端に設けられる整形枠３と、整形枠３に対して操作機構で接離操作される押圧具４とを含む。操作機構は、ケース１で出没可能に支持されて、前後方向（使用時において顔面に向かう方向を前方向とし、鏡面に向かう方向を後方向とする）に往復変位する操作具１５と、操作具１５の動作を押圧具４に伝える動作変換機構とからなる。動作変換機構は、軸２０で前後揺動自在に軸支されて、操作具１５の前後方向の往復動作を上下動作に変換する中継ピース１６と、中継ピース１６の動作を押圧具４に伝えるリンク１７と、リターンばね１８とで構成されている。中継ピース１６は、操作具１５の動作を受け継ぐ第１連接部１６ａと、リンク１７に連接される第２連接部１６ｂとを備えている。押圧具４のスライド方向と平行で軸２０のほぼ中心を通る第１基準線Ｌ１をｙ軸（上方向をｙ＞０方向）とし、第１基準線Ｌ１と直交して軸２０のほぼ中心を通る第２基準線Ｌ２をｘ軸（前方向をｘ＞０方向）とする座標平面を規定したとき、待機状態における第１連接部１６ａが、両基準線Ｌ１・Ｌ２で規定される座標平面の第３象限に位置し、第２連接部１６ｂが、該座標平面の第２象限に位置していることを特徴とする。
【０００８】
整形枠３は、断面くさび形のくせ付枠２５と、くせ付枠２５を固定支持する腕部２４とを備える。くせ付枠２５の後面において、くせ付枠２５を腕部２４で支持して、くせ付枠２５の下縁２５ａの左右両端側面を開放する。
【０００９】
くせ付枠２５の下縁２５ａが、腕部２４の近傍において、腕部２４のくせ付枠２５との交差部分より下方に突出してある。
【００１０】
押圧具４の上端に、整形枠３のくせ付枠２５と接離するゴム製の押圧体２６を設ける。押圧体２６の左右幅Ｂは、くせ付枠２５の下縁２５ａの左右幅Ｗとほぼ同じ長さに設定する。
【００１１】
ケース１から上方に延びる腕部２４の延出基端を、くせ付枠２５と押圧具４との挟持平面Ｓより後方側へ偏寄する位置に設けて、腕部２４の前縁を凹ませる。
【００１３】
押圧具４とリンク１７とは、両者４・１７の間に設けたヒンジ部２２を介して一体に成形する。
【００１４】
【発明の作用効果】
この発明のまつ毛カーラーにおいては、くせ付枠２５の背面両端より内側において、くせ付枠２５を腕部２４で固定支持し、以てくせ付枠２５の下縁２５ａの両端外側面を開放するので、腕部２４がくせ付け時に邪魔になるのを解消でき、くせ付枠２５の両側端においてもくせ付け操作を行えることとなった。従って従来のくせ付枠に比べて、くせ付枠２５の下縁２５ａの全体を使ってくせ付けを行える分だけ、くせ付枠２５の有効くせ付幅を拡大できるうえ、まつ毛群の側端に位置する一部のまつ毛や、任意位置のまつ毛の形をくせ付けし、あるいは修正するなど、まつ毛カーラーの使い勝手を向上できる。
【００１５】
腕部２４の近傍において、くせ付枠２５の下縁２５ａを腕部２４のくせ付枠２５との交差部分より下方に突出させた整形枠３によれば、腕部２４のくせ付枠２５との接合部が邪魔になるのを避けて、押圧体２６とくせ付枠２５とで挟み固定する直前までまつ毛の状態を視認でき、従ってくせ付け操作を確実に行える。とくに、１本ないし数本のまつ毛をくせ付けする場合などに、正確なくせ付けを行える。
【００１６】
押圧具４に設けたゴム製の押圧体２６の左右幅Ｂを、くせ付枠２５の下縁２５ａの左右幅Ｗとほぼ同じ長さに設定すると、くせ付枠２５のほぼ全幅にわたってまつ毛を挟持できるうえ、くせ付枠２５の側端寄り部を使って１本ないし数本のまつ毛をくせ付けするなど、部分的にまつ毛をカールし、あるいはカールしたまつ毛の形を修正するのに都合がよい。
【００１７】
腕部２４の基端を、くせ付枠２５と押圧具４との挟持平面より背面側へ偏寄する位置に設けて、腕部２４の前縁を凹ませた整形枠３によれば、くせ付枠２５の下縁２５ａの両端寄りの背面側空間を大きく開放できるので、くせ付枠２５の側端を用いてくせ付けを行うときに、腕部２４が邪魔になるのを解消し、くせ付け操作を容易に行える。
【００１８】
くせ付枠２５の下縁２５ａの背面両端寄りに設けたストッパー部２９は、押圧体２６がくせ付枠２５に押し付けられるとき、ストッパー部２９で押圧体２６を受止めて、くせ付枠２５の下縁が押圧体２６に過剰に食い込むのを防止するので、長期使用時にも、ゴム製の押圧体２６の両側端に亀裂が生じるのを防止できる。
【００１９】
操作具１５の動作を押圧具４に伝える動作変換機構を、操作具１５の前後方向の往復動作を上下動作に変換する中継ピース１６と、中継ピース１６の動作を押圧具４に伝えるリンク１７と、リターンばね１８とで構成すると、２個の揺動レバーで動作変換を行う従来の機構に比べて操作機構をコンパクト化できるうえ、操作機構が収容されるケース１を小型化できる。また、操作機構の構成部品点数が増えるのを避けてまつ毛カーラーの製造に要するコストを節約できる。
【００２０】
操作具１５の動作を受け継ぐ第１連接部１６ａと、リンク１７に連接される第２連接部１６ｂとの両者を、第１・第２の両基準線Ｌ１・Ｌ２で区分される第３象限と第２象限とに位置させる操作機構においては、操作具１５を一定速度で押し込み操作するとき、第１連接部１６ａは第３象限の第１基準線Ｌ１の近傍から上方揺動するので、中継ピース１６は角速度を増しながら揺動操作される。一方、中継ピース１６と、リンク１７と、押圧体４の動きは、エンジンのクランク軸と、コンロッドと、ピストンの動きにたとえることができ、しかも第２連接部１６ｂが第２象限の第２基準軸Ｌ２の近傍から上方揺動するので、中継ピース１６の角速度を一定とする場合には、押圧体４はその上昇ストロークの上端に近づくほど、移動速度が小さくなる。
【００２１】
従って押圧体４は、第１連接部１６ａの角速度が増加する作用と、第２連接部１６ｂと押圧体４との間でスライド速度が漸減する作用との、両作用を合成した速度で上方移動することになる。その結果、押圧体２６がくせ付枠２５に近づくほど、つまり、まつ毛を挟む直前における押圧体２６の移動速度を小さくできる。従って押圧具４の動作を操作具１５の動作に近づけて、押圧具４の動きを使用者の操作感覚に一致させることができるうえ、整形枠３および押圧具４によるまつ毛の挟み位置を、使用者の意図どおりの位置にして、使用者の操作感覚と一致する位置において、意のままにくせ付け操作できる操作の容易なまつ毛カーラーを得ることができる。
【００２２】
押圧具４とリンク１７とをヒンジ部２２を介して一体に成形した操作機構によれば、操作機構の構造を簡素化できるうえ、リンク１７の移動方向と押圧具４の移動方向が交差していても、ヒンジ部２２で力の方向を変換して押圧具４に伝えられるので、押圧具４がリンク１７でケース１のガイド面に強く押しつけられて摩擦抵抗を生じるのを解消でき、従って押圧具４を軽快かつ円滑にスライド操作できる。
【００２３】
【実施例】
図１ないし図８はこの発明に係るまつ毛カーラーの実施例を示す。図２および図３においてまつ毛カーラーは、縦長筒状のケース１を有し、その上端にまつ毛を上下に挟み保持してくせ付けするためのカーリングヘッド２を有する。カーリングヘッド２は、ケース１と一体に設けられる整形枠３と、整形枠３に対して接離スライドする押圧具４とからなり、押圧具４の内部に、後述する押圧体２６とくせ付け促進用のヒーター５と、ヒーター５の温度状態を検出するサーミスター（温度センサー）６とを配置する（図４参照）。押圧具４が接離スライドするときのスライド平面Ｓは、図４に示すようにケース１の筒中心軸線を通る基準平面Ｔに対してケース後面（鏡側表面）へ向かって後傾してある。
【００２４】
図３において、ケース１の内部は、下半側の電池室と、上半側の機構部室とに大別でき、電池室の内部に２個の電池８を収容し、機構部室の内部に押圧具４を接離操作するための操作機構を収容している。ケース１は、蓋合わせ状に接合される前ケース１ａと後ケース１ｂ、および両ケース１ａ・１ｂの外面にケース下側から外嵌されて、両ケース１ａ・１ｂを分離不能に固定保持する筒ケース１０と、筒ケース１０の下側に外嵌される化粧ケース１１などで構成する。グリップを兼ねる化粧ケース１１をケース１から抜き外すと、後ケース１ｂの下半部前面の開口が露出するので、この開口から電池８を出し入れできる。
【００２５】
図４において操作機構は、前後揺動してケース１内へ出没する操作具１５と、動作変換機構とからなる。動作変換機構は、操作具１５の揺動動作に連動して前後に往復揺動する中継ピース１６と、中継ピース１６の動きを押圧具４に伝えるリンク１７と、押圧具４を退入付勢するリターンばね１８などで構成する。操作具１５は、使用者の顔と対向する前ケース１ａの側に配置し（図８参照）、その下端に設けたピン１９を中心にして前後揺動のみ自在に軸支する。また、使用時の親指の動きが顔で邪魔されるのを防ぐために、先の操作具１５は、ケース１の顔側表面の左右中央を通る中心軸線上で、スライド平面Ｓに沿う上壁４１の外面壁の延長平面とケース１の顔側表面で挟まれる領域Ｚ（図８参照）に配置してある。なお、先の上壁４１の内壁面は、押圧具４の移動用ガイドとして利用している。リターンばね１８は引っ張りばねからなり、押圧具４の下端と前ケース１ａの内面に設けたボスとの間に掛止する。リターンばね１８のばね力は、リンク１７と中継ピース１６を介して操作具１５に伝わるので、操作具１５は待機状態において前ケース１ａから突出する向きに進出する。
【００２６】
図６に示すように中継ピース１６は、第１連接部１６ａと第２連接部１６ｂとを有する側面視が三角形状の枠体からなり、第１連接部１６ａより上方の頂部を前ケース１ａで軸２０を介して揺動自在に軸支し、第１連接部１６ａの遊端を操作具１５の上端内面に設けた座部１５ａに連接する。使用時における押圧具４のスライド速度を、くせ付枠２５に近付くほど遅くするために中継ピース１６をケース１に対して軸２０で軸支する。
【００２７】
具体的には、図６に示すように押圧具４のスライド平面Ｓと平行で軸２０の中心を通る第１基準線Ｌ１と、第１基準線Ｌ１と直交して軸２０の中心を通る第２基準線Ｌ２とを規定するとき、中継ピース１６を操作具１５より上方に配置して、待機状態における第１連接部１６ａと第２連接部１６ｂとを、両基準線Ｌ１・Ｌ２で区分される第３象限と第２象限とに位置させるのである。さらに詳しくは、待機状態における第１連接部１６ａを、第３象限の第１基準線Ｌ１の近傍に位置させ、第２連接部１６ｂを第２象限の第２基準線Ｌ２の近傍に位置させておく。リンク１７と中継ピース１６とは、第２連接部１６ｂの遊端においてピン２１で連結し、リンク１７と押圧具４とは、ヒンジ部２２を介して連結する。この実施例では、押圧具４とヒンジ部２２とリンク１７の三者を一体成形して、構成部品点数を削減できるようにした。なお、第１連接部１６ａと第２連接部１６ｂとのアーム比、つまり軸２０の中心から各連接部までの長さの比は1.２〜1.７として、第２連接部１６ｂ側を大きく設定する。また、操作具１５と第１連接部１６ａのアーム比は3.３〜3.９として、操作具１５側を大きく設定する。
【００２８】
図１および図５において整形枠３は、後ケース１ｂの上端の左右両側から立設される一対の腕部２４と、両腕部２４の突端どうしを繋ぐくせ付枠２５とで門形に形成するが、くせ付枠２５の下縁２５ａの両端外側面を開放することによって、従来のくせ付け枠に比べてくせ付枠２５の有効くせ付幅を拡大し、さらに、側端に位置する一部のまつ毛、あるいは任意位置のまつ毛の形を修正できるようにする。
【００２９】
具体的には、くせ付枠２５の背面両端より内側において、くせ付枠２５を腕部２４で固定支持して、その下縁２５ａの両端外側面を開放する。さらに、腕部２４の基端を押圧具４のスライド平面より背面側へ偏寄する位置に設けて、腕部２４の前縁を凹ませ、下縁２５ａの両端下方側を開放している。この実施例では、くせ付枠２５の下縁２５ａの左右幅Ｗを、腕部２４の左右幅と同じとし、くせ付枠２５の下縁２５ａより僅かに上部で、腕部２４の前縁をくせ付枠２５と交差させている。この腕部２４の交差基端は、押圧体２６がくせ付枠２５に押圧接当するとき、下縁２５ａの端部が押圧体２６へ過剰に食い込んで亀裂を生じるのを防ぐストッパー部２９として機能する。
【００３０】
図４に示すようにくせ付枠２５は断面くさび状に形成してあり、全体がケース背面側へ向かって外凸状に湾曲し、しかも上まぶたのまつ毛に沿って上凸状に湾曲するように形成する。以下に説明する顔側の上壁４１も、くせ付枠２５と同様に、全体がケース前面から見て内凹み状に湾曲している（図５参照）。
【００３１】
押圧具４は、前後ケース１ａ・１ｂの上端の上壁４１およびガイド壁４２で往復スライドのみ自在に案内支持し、その内部に整形枠３のくせ付枠２５と接離する押圧体２６を内嵌装着する。押圧体２６は耐熱ゴム製の成形品からなり、上端に断面Ｖ字状の溝２７が形成してある。押圧体２６の内部には、図４に示すようにヒーター５を組み、押圧体２６の下面中央にサーミスター６を配置する。押圧体２６の左右幅Ｂはくせ付枠２５の下縁２５ａの左右幅Ｗより僅かに小さくなる（図５参照）。図２に示すように、ケース１の上部一側には電源スイッチ２８を設ける。このスイッチ２８を上方スライドしてオン操作するとヒーター５に通電できる。
【００３２】
照明が不十分な状況下においても、まつ毛のくせ付けを確実に行うために、ケース１の側にカーリングヘッド２を照らすための照明具３０を設ける。図４において照明具３０は発光ダイオードからなり、後ケース１ｂの上端の左右中央に開口した投光口３１に臨んで配置し固定する。このように、照明具３０をケース１の後面上部に設けることにより、照明具３０から放射される照射光を整形枠３の鏡側表面に沿って投射し、くせ付枠２５の左右幅方向の中央付近を集中的に照らすことができる。符号３２は制御回路が組み込んである基板である。
【００３３】
使用時には、図８に示すように鏡と向き合い、整形枠３と押圧具４との間にまつ毛を位置させ、操作具１５を押し込んで押圧体２６とくせ付枠２５とでまつ毛を挟持する。この時、上壁４１に下まぶたの近傍を当てがいながらくせ付け作業を行うことにより、カーラーをぐらつくことなく安定した状態で操作できる。操作具１５の押し込み力を解放すると、押圧具４はリターンばね１８のばね力を受けてケース１内へ退入し、操作具１５はケース外へ突出して待機状態へ復帰する。
【００３４】
図９および図１０は整形枠の別の実施形態を示す。図９においては、下縁２５ａの左右幅を腕部２４の左右幅より大きく設定して、くせ付枠２５の下縁２５ａの両端外側面を開放した。この場合にも、押圧体２６の左右幅を拡大して下縁２５ａの左右幅とほぼ一致させることができる。また図１０においては、腕部２４を直線状に形成した。
【００３５】
中継ピース１６は、図１１に示すようにＴ字状に形成することができる。
【００３６】
上記の実施例以外に、この発明はヒーター５を備えていないまつ毛カーラーにも適用できる。その場合には、照明具３０用に１個の電池８と点滅スイッチ）を備えていれば足りる。照明具３０は、操作具１５の押し込み動作に連動して点灯させることができる。整形枠３はケース１と別体の独立部品で形成してあってもよい。腕部２４のみを後ケース１ｂと一体に整形して、独立した部品からなるくせ付枠２５を腕部２４に固定し、あるいは左右幅や断面形状が異なる複数種のくせ付枠２５を腕部２４に交換装着することができる。この発明における押圧具４は、整形枠３の側、例えば左右一対の腕部２４で上下スライド自在に案内支持することができる。なお、ヒーター５の電源としては、商用電源を利用することができ、この場合にはケース１から給電用コードを導出する。操作具１５は上下スライドするノブや、押しボタンで形成してあってもよい。ストッパー部２９は腕部２４とは別に設けることができ、例えばくせ付枠２５の背面にリブ状の突起を設けてストッパー部２９とすることができる。
【図面の簡単な説明】
【図１】まつ毛カーラーの上半部の背面側の斜視図である。
【図２】まつ毛カーラーの全体斜視図である。
【図３】まつ毛カーラーの縦断側面図である。
【図４】まつ毛カーラーの操作機構を示す縦断側面図である。
【図５】まつ毛カーラーのカーリングヘッド部の正面図である。
【図６】動作変換機構を示す縦断側面図である。
【図７】操作具を押し込んだ状態の動作交換機構を示す縦断正面図である。
【図８】まつ毛カーラーの使用状態を示す説明図である。
【図９】整形枠の別実施例を示す斜視図である。
【図１０】整形枠のさらに別実施例を示す斜視図である。
【図１１】中継ピースの別実施例を示す縦断側面図である。
【符号の説明】
１  ケース
２  カーリングヘッド
３  整形枠
４  押圧具
１５  操作具
１６  中継ピース
１６ａ  第１連接部
１６ｂ  第２連接部
１７  リンク
１８  リターンばね
２４  腕部
２５  くせ付枠
２５ａ  下縁
２６  押圧体
【図１】
0004475485.tif 000002
【図２】
0004475485.tif 000003
【図３】
0004475485.tif 000004
【図４】
0004475485.tif 000005
【図５】
0004475485.tif 000006
【図６】
0004475485.tif 000007
【図７】
0004475485.tif 000008
【図８】
0004475485.tif 000009
【図９】
0004475485.tif 000010
【図１０】
0004475485.tif 000011
【図１１】
0004475485.tif 000012